【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】
テレビジョン放送番組のベースバンド映像信号を圧縮符号化したデジタル放送信号を第１の放送サービスエリア内に送出する第１の放送局と、この第１の放送局と中継回線を介して接続され、前記第１の放送局から中継回線を介して送出されたベースバンド映像信号を受信して信号処理を加えた後、前記第１の放送サービスエリアとは異なる第２の放送サービスエリア内にデジタル放送信号として送出する第２の放送局とを備えたテレビジョン放送番組中継送出システムであって、
前記第１の放送局は、前記ベースバンド映像信号のフィールドごとの所定の帰線期間に番組に関する情報を含んだ付随情報を挿入して前記中継回線により送信する付随情報送信手段を備え、
前記第２の放送局は、
前記第１の放送局から前記中継回線を介して到来したベースバンド映像信号を該映像信号に同期した書き込み速度でメモリに１フレーム分書き込み、自局で発生される同期信号に同期した読み出し速度で前記メモリに書き込まれたベースバンド映像信号を読み出す映像信号処理手段と、
前記第１の放送局から前記中継回線を介して到来したベースバンド映像信号を略１フィールド遅延する遅延手段と、
前記第１の放送局から前記中継回線を介して到来したベースバンド映像信号及び前記遅延手段の出力のいずれか一方を前記映像信号処理手段の入力信号として選択的に導出する切替手段と、
前記第１の放送局から前記中継回線を介して到来したベースバンド映像信号を入力し、該ベースバンド映像信号から同期信号を再生する入力映像同期再生手段と、
この入力映像同期再生手段により再生される同期信号と自局の同期信号とを位相比較する位相比較手段と、
外部から切替指示信号が入力されたとき、前記位相比較手段の位相比較結果に基づいて前記切替手段の切り替えを行なう切替制御手段とを具備したことを特徴とするテレビジョン放送番組中継送出システム。
【請求項２】
テレビジョン放送番組のベースバンド映像信号を圧縮符号化したデジタル放送信号を第１の放送サービスエリア内に送出する第１の放送局と、この第１の放送局と中継回線を介して接続され、前記第１の放送局から中継回線を介して送出されたベースバンド映像信号を受信して信号処理を加えた後、前記第１の放送サービスエリアとは異なる第２の放送サービスエリア内にデジタル放送信号として送出する第２の放送局とを備え、前記第１の放送局にて前記ベースバンド映像信号のフィールドごとの所定の帰線期間に番組に関する情報を含んだ付随情報を挿入して前記中継回線により送信するテレビジョン放送番組中継送出システムで前記第２の放送局として使用されるテレビジョン放送信号受信処理装置であって、
前記第１の放送局から前記中継回線を介して到来したベースバンド映像信号を該ベースバンド映像信号に同期した書き込み速度でメモリに１フレーム分書き込み、自局で発生される同期信号に同期した読み出し速度で前記メモリに書き込まれたベースバンド映像信号を読み出す映像信号処理手段と、
前記第１の放送局から前記中継回線を介して到来したベースバンド映像信号を略１フィールド遅延する遅延手段と、
前記第１の放送局から前記中継回線を介して到来したベースバンド映像信号及び前記遅延手段の出力のいずれか一方を前記番組情報信号処理手段の入力信号として選択的に導出する切替手段と、
前記第１の放送局から前記中継回線を介して到来したベースバンド映像信号を入力し、該ベースバンド映像信号から同期信号を再生する入力映像同期再生手段と、
この入力映像同期再生手段により再生される同期信号と自局の同期信号とを位相比較する位相比較手段と、
外部から切替指示信号が入力されたとき、前記位相比較手段の位相比較結果に基づいて前記切替手段の切り替えを行なう切替制御手段とを具備したことを特徴とするテレビジョン放送信号受信処理装置。
【請求項３】
前記切替制御手段は、前記切替指示信号として初期設定信号が入力されたとき、前記位相比較手段の位相比較結果に基づいて前記切替手段の切り替えを行なうことを特徴とする請求項２記載のテレビジョン放送信号受信処理装置。
【請求項４】
前記切替制御手段は、運用者の指定操作に応じて、前記位相比較手段の位相比較結果に基づいて前記切替手段の切り替えを行なうことを特徴とする請求項２記載のテレビジョン放送信号受信処理装置。
【請求項５】
前記切替制御手段は、前記ベースバンド映像信号の送信元が切り替わった時、前記位相比較手段の位相比較結果に基づいて前記切替手段の切り替えを行なうことを特徴とする請求項２記載のテレビジョン放送信号受信処理装置。
【請求項６】
前記切替制御手段は、前記位相比較手段の位相比較結果から前記入力映像同期再生手段により再生される同期信号と自局の同期信号との位相差が所定値未満となった場合に、アラーム情報を出力するアラーム出力手段を備えることを特徴とする請求項２記載のテレビジョン放送信号受信処理装置。
【請求項７】
テレビジョン放送番組のベースバンド映像信号を圧縮符号化したデジタル放送信号を第１の放送サービスエリア内に送出する第１の放送局と、この第１の放送局と中継回線を介して接続され、前記第１の放送局から中継回線を介して送出されたベースバンド映像信号を受信して信号処理を加えた後、前記第１の放送サービスエリアとは異なる第２の放送サービスエリア内にデジタル放送信号として送出する第２の放送局とを備え、前記第１の放送局にて前記ベースバンド映像信号のフィールドごとの所定の帰線期間に番組に関する情報を含んだ付随情報を挿入して前記中継回線により送信するテレビジョン放送番組中継送出システムの前記第２の放送局で使用されるものとし、
前記第１の放送局から前記中継回線を介して到来したベースバンド映像信号を該ベースバンド映像信号に同期した書き込み速度でメモリに１フレーム分書き込み、自局で発生される同期信号に同期した読み出し速度で前記メモリに書き込まれたベースバンド映像信号を読み出す映像信号処理手段と、前記第１の放送局から前記中継回線を介して到来したベースバンド信号を略１フィールド遅延する遅延手段と、前記第１の放送局から前記中継回線を介して到来したベースバンド映像信号及び前記遅延手段の出力のいずれか一方を前記映像信号処理手段の入力信号として選択的に導出する切替手段とを備えるテレビジョン放送信号受信処理装置の信号処理制御方法であって、
前記第１の放送局から前記中継回線を介して到来したベースバンド映像信号を入力し、該ベースバンド映像信号から同期信号を再生する第１の過程と、
この第１の過程により再生される同期信号と自局の同期信号とを位相比較する第２の過程と、
外部から切替指示信号が入力されたとき、前記第２の過程による位相比較結果に基づいて前記切替手段の切り替えを行なう第３の過程とを具備したことを特徴とするテレビジョン放送信号受信処理装置の信号処理制御方法。
【請求項８】
テレビジョン放送番組の映像信号にかかる第１のデジタル放送信号を第１の放送サービスエリア内に送出する第１の放送局と、この第１の放送局と中継回線を介して接続され、前記第１の放送局から中継回線を介して送出された第１のデジタル放送信号を受信して信号処理を加えた後、前記第１の放送サービスエリアとは異なる第２の放送サービスエリア内に第２のデジタル放送信号として送出する第２の放送局とを備え、前記第１の放送局にて前記映像信号の所定の帰線期間に番組に関する情報を含んだ付随情報を挿入して前記中継回線により送信するテレビジョン放送番組中継送出システムで前記第２の放送局として使用されるテレビジョン放送信号受信処理装置であって、
前記第１の放送局から前記中継回線を介して到来した映像信号を入力し、該映像信号から同期信号を再生する入力映像同期再生手段と、
前記入力映像同期再生手段により再生した同期信号に同期した書き込み速度でメモリに映像信号を所定量分書き込み、自局で発生される同期信号に同期した読み出し速度で前記メモリに書き込まれた映像信号を読み出す映像信号処理手段と、
前記第１の放送局から前記中継回線を介して到来した映像信号を所定量遅延する遅延手段と、
前記第１の放送局から前記中継回線を介して到来した映像信号及び前記遅延手段の出力のいずれか一方を前記映像信号処理手段の入力信号として選択的に導出する切替手段と、
前記入力映像同期再生手段により再生される同期信号と自局の同期信号とを位相比較する位相比較手段と、
外部から切替指示信号が入力されたとき、前記位相比較手段の位相比較結果に基づいて前記切替手段の切り替えを行なう切替制御手段とを具備したことを特徴とするテレビジョン放送信号受信処理装置。